(57)【要約】      （修正有）【課題】インターネット上にこんな商品を実現したいという詳細の情報を公にすることで全世界の知恵を結集した商品を生み出し、世界の人々の要求に適合した商品を供給することができるシステムを提供する。【解決手段】詳細情報はインターネットに公開する前に特許出願を済ませ、ライセンスは確保する。その上で募集を図り、構造体、制御装置、ソフトウェアの最適な商品を応募の中から選定し、応募者と売買契約を結ぶ。前記を募集案件と命名し、以下募集案件と記する。応募者は事前に特許庁のシステムで他の知財に抵触していないという検索結果を添付する。このように行えば、商品としての知財、各部分における知財をゆるぎないものとなる。応募者は事前に特許検索を行い、特許出願してそれを販売、ないしライセンス契約など売買契約の項目のひとつとしてもよい。また、特許検索を委託し、募集者が代行も可能とする。【選択図】図１
2011170825.tif 000002
【特許請求の範囲】
【請求項１】
新規会員になる旨を希望した募集者に対して会員として登録することと、システムにログインを許可する新規会員及び会員ログイン許可システム部と
前記新規会員及び会員ログイン許可システム部により許可された会員に対して応募の対象となる募集案件の詳細情報を特許出願後ネットワークを介して公開し、応募者を募集する応募受付ステップと、
前記応募受付ステップでの募集に応じた応募者を受け付ける応募受付ステップと、
前記応募受付ステップで応募者が事前に応募内容の特許検索をかけて抵触していないか確認する特許部ステップまたは、特許検索を応募者が代行を委託した場合、代行して特許検索して他の特許に抵触していないか確認する特許部ステップと、
前記応募者（会員）ログインステップでログインした応募者と売買契約またはライセンス契約する（ここには希望販売価格の提示と価格交渉も含める）売買決済ステップと売買契約により成果物に対する対価の支払いまたは、ライセンス料等の支払いと、商品を販売したときの販売金を入出力する資産入出力ステップと
を具備することを特徴とする電子的公開応募方法。
【請求項２】
応募の対象となる募集案件について、応募募集を行う旨及び該募集案件の詳細情報をネットワークを介して開示する運営システムに会員として新規登録とシステムへのログインを許可する応募受付ステップはログインIDを付与すること、または任意のID登録と任意パスワードを設定できること、または、仮ID発行または仮IDと仮パスワード発行を登録された連絡先に送信して、応募者が本登録する時に、任意のIDと任意のパスワードを設定できること、また前記新規会員登録システムと会員ログインシステムを管理運営すること、
を具備することを特徴とする電子的公開応募方法。
【請求項３】
応募の対象となる募集案件の詳細情報をネットワークを介して公開する詳細情報開示部と、
前記詳細情報開示部によって開示された案件に対する応募者を募集する応募受付部と、
を具備することを特徴とする電子的公開応募用サーバ装置。
【請求項４】
応募の対象となる募集案件について、応募を希望する旨の新規会員を登録及び管理及び会員のログインを許可する新規会員登録と会員ログインを許可するシステム部と
を具備することを特徴とする電子的公開募集用サーバ装置。
【請求項５】
前記会員にのみ詳細情報を開示することを具備する請求項4記載の電子的公開募集方法及び電子的公開募集用サーバ装置。
【請求項６】
前記新規会員希望情報が前記募集案件についてIDの取得希望する旨のIDを付与することあるいは任意のＩＤを取得または付与できること、また、任意のパスワードを取得または付与できること、または仮IDまたは、仮IDと仮パスワード発行を登録された連絡先に送信して本登録にて任意のIDと任意のパスワードを付与または取得できること
を具備する電子的公開募集用サーバ装置。
【請求項７】
応募の対象となる募集案件について詳細情報を表示する詳細情報表開示時と、
前記詳細情報表開示部により前記詳細情報を表示された前記募集案件に対する応募者の委託に対して代行して特許検索を行う代行サービスを持つこと
を特徴とする電子的公開募集方法及び電子的公開募集用サーバ装置。
【請求項８】
前記ログインIDとパスワードにて本システムにログインすることで詳細情報を表示する詳細情報表示開示部と
前記詳細情報表開示部により前記詳細情報が表示された案件に対し、応募を希望する応募情報を入力する入力部と
を具備することを特徴とする電子的公開募集方法及び電子的公開募集用サーバ装置。
【請求項９】
前記入力部で入力され、前記ログインIDとパスワードにより本システムにログインできることを具備したことを特徴とすること請求項1〜8記載の電子的公開募集方法及び電子的公開募集サーバ用装置。
【請求項１０】
前記詳細情報開示部が、複数の前記募集案件について前記詳細情報をリストとして表示すること、
を特徴とする請求項９記載の電子的公開募集方法及び電子的公開募集用サーバ装置。
【請求項１１】
本システムが表示された画面上に新規会員登録ボタンにより会員として任意のログインIDと任意のパスワードが付与または取得できることと、または、仮IDの発行、または仮IDと仮パスワードの発行を登録された連絡先に送信して、任意のIDと任意のパスワードを付与または取得でき本登録できること、
新規会員ログインボタンを併設して既会員は既会員ログインボタンから登録された任意のIDと登録された任意のパスワードでログインでき、募集する案件の詳細情報を閲覧できること、
前記会員新規登録システムと会員ログインシステムを管理すること、
を特徴とする請求項９記載の電子的公開募集方法及び電子的公開募集用サーバ装置。
【請求項１２】
前記詳細表示部が複数の募集案件についてリスト表示し、応募のための応募ボタンと資料請求のための資料請求ボタンを各募集毎に表示する、
ことを特徴とする請求項9記載の電子的公開募集方法及び電子的公開募集サーバ装置。
【請求項１３】
請求項4記載の電子的公開募集用サーバ装置としてコンピューターや演算装置を機能させるためのプログラムが記録された記録媒体。
【請求項１４】
請求項8記載の電子応用端末装置としてコンピュータや、通信ができる携帯端末などを機能させるためのプログラムが記録された記録媒体。
【請求項１５】
請求項13及び請求項14のプログラムをネットワークを介してダウンロードできるシステムを具備すること、
を特徴とする電子的公開募集方法及び電子的公開募集サーバ装置。
【請求項１６】
請求項１から１５により生み出された商品企画、詳細仕様を取得した、あるいは出願中の知財とともに同じシステム上で販売すること
を特徴とする電子的公開募集方法及び電子的公開募集サーバ装置。
【請求項１７】
請求項１６の販売を現存するオークションシステムで販売すること
を特徴とする電子的公開募集方法及び電子的公開募集サーバ装置。
【請求項１８】
請求項１から１７によって商品企画した商品をホームページ上で２次元、または3次元で画面上で表示して、構造体、制御装置の配置、また、ソフトウェアの動作確認をインターネット上で行うことでより完成度を高めていけること、
を特徴とする電子的公開募集方法及び電子的公開募集サーバ装置。
【発明の詳細な説明】
【技術分野】
【０００１】
この発明は、インターネットなどのネットワークを介して募集し、応募に対して売買またはライセンス契約等を行うことができる電子的公開募集方法、公開応募物件売買またはライセンス契約システムなどに関する。
【背景技術】
【０００２】
現在の商品開発の背景には、こんな商品を商品化したい。と思い商品開発したが後から特許抵触で訴えられて販売差止めや賠償請求やライセンス料の支払いなど、事業を圧迫してしまう、また、高度化する商品の開発には多数の設計者の固定費と膨大な研究開発費がかかり投資と回収を考えたとき回収台数が膨大になってしまうという問題点があった。
【先行技術文献】
【特許文献】
【０００３】
【特許文献１】国開WO01／０６５４３３号公報
【発明の概要】
【発明が解決しようとする課題】
【０００４】
本発明は商品化したいと思った時にまず、特許が抵触しないか調査することから始まる。特許に抵触しない、もしくは、ライセンス契約をした上で商品企画をする。そこで、企画案から商品の仕様を決め、会員制のWebサイトなどで商品の仕様を公開する。その中で、各モジュール（キット）や部品毎の仕様を公開していく。
【０００５】
その仕様を一番品質良く、安価に製造できるあるいは構築できる手段を世界中のインターネットに参加している方々が考え、設計する。その設計仕様はまずは、各モジュール（キット）や各部品毎に特許調査をする。特許庁の検索システムが利用でき、そこで特許が抵触していない事を確認し、応募するようにする。また、自分で特許検索できない場合は特許検索代行サービスを設け、特許に抵触していないかを判断する。抵触していない事を確認した応募の中から一番良い案について応募者その対価の売買契約または、ライセンス契約等をする。この売買契約またはライセンス契約の中には、応募者からの希望販売金額の提示と募集者側との価格交渉もすることができる。
【０００６】
このように行うことによって、特許侵害しない商品開発ができ、安価にお客様の満足する商品がスピーディーに提供できる。本発明はその方法を提供することを目的とする。
【課題を解決するための手段】
【０００７】
（１）上記目的を達成するために、本発明に係わる電子的公開募集方法は、募集の対象
となる募集案件の詳細仕様をネットワークを介して会員に対して公開し、新規会員登録システムと会員ログインシステム部によりＩＤを取得した会員による応募者受付ステップと、前記応受付ステップでの募集に応じた応募受付部と、前記応募受付部で受け付けた応募者の案を選択及び決定する売買決済ステップと前記売買決済ステップで決定された応募者と対価に対する売買契約もしくはライセンス契約等を結び応募者の成果物を購入し、システムアップして商品化を実行することを特徴とする。
この発明によれば、募集案件の詳細情報（詳細な仕様）を公にすることにより、世界中のインターネット参加者の知恵を結集することができる。
【０００８】
（２）   また、本発明に係わる電子的公開応募システムは、募集の対象となる応募案件につ
いて、応募募集を行う旨及び該応募案件の詳細情報をネットワークを介して開示する運営システムに会員として新規登録とシステムへのログインを許可する応募受付ステップはログインIDを付与するまたは任意のＩＤを取得または登録して、パスワードを取得または登録すること、または、仮IDの発行、または仮IDと仮パスワードの発行を登録された連絡先に送信して、任意のIDと任意のパスワードを付与または取得でき本登録できることを具備することを特徴とする電子的公開応募方法で公に開示することで全世界のネット参加者によるスピーディーな開発が可能となる。
【０００９】
（３）また、本願に係わる電子的公開募集方法または、電子的公開募集用サーバ装置は、募集対象となる応募案件の詳細情報をネットワークを介して公開する詳細情報開示部と、前記詳細情報開示部によって開示された案件に対する応募者を募集する応募受付部と、
を具備することを特徴とする。
この発明によれば公に仕様を開示することで全世界のインターネット参加者の知恵を結集することができ、スピーディーに安価な商品を提供できる。
【００１０】
（４）本発明に係わる電子的公開募集システムは、応募の対象となる応募案件について、応募を希望する旨の新規会員を登録及び管理及び会員のログインを許可する新規会員登録と会員ログインを許可するシステム部とを具備することを特徴とする電子的公開募集用方法及びサーバ装置を持つことにより、ログインＩＤとパスワードによりシステムに入り募集仕様を閲覧でき、自分の才能を発揮できる部分を開発することができ、対価も受け取ることができる。
【発明の効果】
【００１１】
本発明に係わる電子的公開募集システムまたは電子的公開募集用サーバー装置は、前記ＩＤ会員にのみ詳細情報を開示することを具備する電子的公開募集方法及び電子的公開募集サーバ装置が特徴であり、会員制で売買契約やライセンス契約等をＩＤ取得者と行い全世界のインターネット参加者の知恵を結集することができ、安価でスピーディー商品を提供できる。
【発明を実施するための形態】
【００１２】
以下、この発明の実施形態を図面を用いて説明する。
【００１３】
図１は、本発明の１実施形態としての電子的公開募集システムの構成を表すブロック図である。
【００１４】
図１に示すように詳細情報を開示する側の電子的公開募集用サーバー装置100と応募者側の電子的応用端末装置200a、200bがインターネット300を通じて通信可能となっている。図１には、分かり易さのために電子的応募用端末装置200は2つのみ示されているが、実際には応募者はもっと多数（全世界のインターネット参加者）いて、電子的応募用端末200の数も応募者の数に応じてあるものとする。また、最近では携帯端末からも通信可能なことからどのような電子的応用端末でもインターネットに参加できるものは対象となる。
【００１５】
図１にしめされるように、電子的公開募集方法または、電子的公開募集サーバ装置100は新規会員登録システムと会員ログイン部101、詳細情報開示指示部102、応募受付部103、表示部104、入力部105、特許検索代行部106、売買決済部107、資産入出力部108、送受信部109より構成される。
【００１６】
新規会員登録システムと会員ログイン部101には、任意IDの取得または設定ができる、また、任意のパスワードを取得または設定を行うことができる。また、セキュリティー上仮IDまたは、仮IDと仮パスワードを登録された連絡先に送信して本登録用することも一つの手段である。ネットワーク詳細情報開示部102は、募集案件についての詳細情報の開示を示す。
【００１７】
応募受付部103はログインIDとパスワードにより本システムに入り、募集案件に対する提案等の成果物をアップロードする。その時、特許検索して事前に抵触していないことを確認して検索結果を添付するか、特許検索代行サービスを用いて非抵触を事前に確認していただく。
【００１８】
表示部104は  情報の表示を行うCRT,LCD等の表示手段である。
【００１９】
入力部105は、情報の入力を行う、例えばキーボード、マウス、１０キーや携帯端末のボタンや表示部そのものがタッチパネルになっている等の入力手段である。
【００２０】
特許検索代行部106は特許検索の敷居が高いと感じる応募者の委託により代行するサービスである。
【００２１】
売買決済部107は応募された成果物を審査して最良と思われる成果物の応募者に対してその対価を支払うまたは、ライセンス契約等の契約を行う。また、ここには希望販売価格の提示と価格交渉もできる。
【００２２】
資産入出力部108は売買契約部により契約された対価の支払い、また、商品化したときの販売金や商品製造費のの入出金を行う。
【００２３】
送受信部109は、インターネットを通じて募集者の電子的応募用端末装置200と情報の送信、受信を行う。
【００２４】
図１に示されるように、電子的応募用端末装置200は、インターネットを通じて募集者の電子的公開募集用サーバ装置100と情報の送信、受信を行う送受信部201、情報の表示を行うCRT,LCD等の表示部202、情報の入力を行う、例えばキーボード、マウス、１０キーや携帯端末のボタンや表示部そのものがタッチパネルになっている等の入力部203により構成される。
【００２５】
図2に、図１に示した詳細情報公開システムにおける応募者の手続きと、募集側が端末装置により行う手続きの流れを示す。
【００２６】
まず、募集者はA1において会員制のホームページを準備する。
【００２７】
次に募集者はA2において会員の新規登録とログイン許可のシステムを準備する。
【００２８】
次に募集者はA3において商品企画を行う。その時に特許検索を行い各国の特許に抵触していないか検索する。検索した結果非抵触ならそのまま商品企画を行う。抵触している場合はライセンス契約などでその特許の使用の許可を得てから商品企画を行う。その後、起案された商品の詳細仕様の公開の準備を行う。
【００２９】
次に募集者はA4において商品の詳細仕様書及び図などを作成して、電子的公開募集用サーバ装置100を用いて、インターネットのホームページに公開する。
【００３０】
募集品の応募者となり得る応募者は、これを、ステップB１からB３を行うことで電子的応募用端末装置200を用いて詳細仕様ホームページを見ることが出来る。これは、画面上部に「売買システムの説明」、「電子的公開募集システムの説明」、「取引開始から終了までの説明と手順」、「特許検索代行サービスの説明と利用方法」などを一覧表示またはボタンを配置し、すべての内容に同意することにより応募できるものとする。（図３参照）
【００３１】
ホームページは新規会員登録ボタンと既会員ログインボタンを設けてある。
【００３２】
まず、新規会員登録について説明する。新規会員登録ボタンをクリックすることで図4のような任意ID登録入力BOX、またはそれに代替できるもので任意のIDを入力する。
【００３３】
続いて任意のパスワードの入力画面またはそれの代替できるもので任意のパスワードを入力する。任意のパスワードは再度入力する画面またはそれの代替できるもので再度入力して誤り防止を構成する。また、IDは早く取得した人に優先権があり、同じIDは登録できないものとする。IDとパスワードの桁数は制限はない。しかし、推奨として6〜8までの英数字の組み合わせを推奨とする。
【００３４】
また、入力画面２０は直接入力したものとは違うものが入力されるように事前に暗証番号表や例えば英数字をランダムに配置するかそれぞれの下に設けるボタン内にランダムな英数字を設けて任意のIDと任意のパスワードが盗み取られない工夫もできる。
【００３５】
また、新規会員登録ボタンをクリックすると受信用e-mailアドレス入力欄とその下に再度確認用のe-mailアドレス入力欄を設けて、仮のIDと仮のパスワードを送信して再度ログイン画面にて既会員ログイン画面から仮IDと仮パスワードを入力し、本登録用の任意の前記と同じようにID登録と任意のパスワード登録という2重の階層にしても良い。
【００３６】
会員としてIDとパスワードを登録が終わると次回からは既会員ログインボタンをクリックして登録したIDとパスワードで本システムに参加できる。
【００３７】
本システムに最初に参加した場合は、応募者情報の登録画面の図６に遷移する。
ここでは、基本個人情報または法人情報を登録する。例えば、企業名、本社住所、代表者氏名、電話番号、利用者名、e-mailアドレス、ホームページアドレスなどを入力する。また、応募者情報取扱いについての同意の意思表示をすることが必要である。
また、ここで信頼性の高いシステム構築には公的機関の書類を受け付けての会員登録としてもよい。（図2のステップB2）
【００３８】
応募者情報登録が終わり、応募者情報の取扱いに同意頂くと図７のホームページに遷移する。このホームページの「公開情報案件」の欄があり、閲覧でき、募集者がどの募集案件にも応募できるものとする。また、「検索」ボタンをクリックすることにより、募集者は「カテゴリ」、「構造体、ハードウェア、ソフトウェアなど、「商品名一覧（例えばテレビなど）」などを選択して絞込みをできることができるなど募集案件の検索機能を随時更新、機能向上が図れるものとする。また、公開募集の中から検索結果を一覧リスト表示できるものとする。その中の一つをクリックするとその詳細仕様のホームページに遷移できるものとする。また、「1ページの表示件数」欄の件数を変えられることと、「要約一欄表示」など現存するホームページで行える検索方法は網羅できるものとする。
【００３９】
上記のように図７に示すホームページで詳細情報公開案件番号をクリックすると、図８に示すように現在、公開されている件名が図８のメイン表示部２０に詳細情報開示案件リスト表示される（図2のステップB3 ）。
【００４０】
このリストには、例えば募集したい商品または、モジュール（キット）、部品、ソフトウェアなどの必要としている商品名、前記商品が属するカテゴリ、前記商品に使われる構造体、前記商品に使われるハードウェア、前記商品に使われるソフトウェアなど、それぞれ募集案件毎に募集名ないし、IDが付与されており、それらの募集品の案件のチェックボックスをクリックしてチェックしダウンロード実行ボタンをクリック、または、リンクを貼った募集名または付与されたIDをクリックすると詳細情報開示画面に遷移するように工夫されている。
【００４１】
応募者が図７の画面上で例えば上から3番目の募集品である「ピエゾ素子を駆動させるソフトウェア」に興味があるとすると、この商品名「ピエゾ素子を駆動させるソフトウェア」上をクリックすると、図８に示すように、このピエゾ素子の外観及び詳細仕様（まとめて詳細仕様）を別のウィンドウが立ち上がり、見ることが出来る。これも図2におけるステップB3である。
【００４２】
応募者が図８の詳細仕様及び外観仕様図を見て、この募集に応募すると決めたら詳細情報IDないし詳細情報番号をクリックするか、チェックボックスをチェックしてのダウンロードボタンをクリックすることでダウンロードできる。ダウンロードクリック時に保存するか表示するかを確認する工程を加えても良い。このピエゾ素子を駆動させるソフトウェアの募集商品の企画、構想、特許調査、具体設計、詳細設計、出来るならば試作して動作確認まで行い（図2のステップB4からB7）、商品として希望販売価格または、希望ライセンス契約料などを決めて登録ボタン21をクリックして応募が完了する。（図２のステップB8）
【００４３】
また、図５のログイン後の画面に示すようにメイン表示部２０には公開詳細募集リストが表示されてもよい。また、左側、または上部、または右側、下側または、真ん中等にフレーム機能を利用した会員用メニューが表示される。
【００４４】
図１０のように応募があった募集案件を募集側が審査して売買決済を行う。売買決済には交渉する場合もある。また、仕様未達だが改善の余地ありの場合、図１０のように修正依頼をかけることができる。また、図１１のように募集案件に対する現在の状況を一覧で確認することができる。
【００４５】
図１２のように修正依頼があった案件に対して改善して再応募も受け付ける。
【００４６】
図１３のように売買契約が成立した募集案件に対して応募者の振込み情報を入力し、対価を図１４のように購入決済か、交渉後決済かライセンス契約を結び支払う。
また、このシステムで商品化された商品の販売の集金も売買決済部で行う。
【００４７】
図１５から図１８のように上記システムにて商品企画されて、詳細仕様も固まった企画案を本システムで取得した特許、または出願中の特許とともに販売することができる。
販売は本システムから本会員による直接購入ができる。
本運営システムはオークションという競売形態を取り、より高く販売できる仕掛けも準備している。
【図面の簡単な説明】
【００４８】
【図１】図１は、本発明の１実施形態としての電子的詳細公開募集システムの構成を表すブロック図である。
【図２】図２は、図１に示す電子的詳細公開情報システムにおける応募手続きの流れを表すフロー図である。
【図３】図３は、本発明の1実施形態における、電子的詳細公開募集システムの会員登録画面及び既会員ログイン画面の一例を表す図である。
【図４】図４は、本発明の１実施形態における、電子的詳細公開募集システムの新規会員の任意ID登録と任意パスワード登録入力画面の一例を表す図である。
【図５】図５は、本発明の1実施形態における、電子的詳細公開募集システムの既会員ログイン画面の一例を表す図である。
【図６】図６は、本発明の1実施形態における、電子的詳細公開募集システムの会員の基本情報入力画面の一例を表す図である。
【図７】図７は、本発明の1実施形態における、電子的詳細公開募集システムの募集する商品の詳細情報一覧の画面の一例を表す図である。
【図８】図８は、本発明の1実施形態における、電子的詳細公開募集システムの募集する商品の詳細情報の画面の一例を表す図である。
【図９】図９は、本発明の1実施形態における、電子的詳細公開募集システムの募集する商品の詳細情報に基づき開発した成果物を応募する画面の一例を表す図である。
【図１０】図１０は、本発明の1実施形態における、電子的詳細公開募集システムの募集する商品の詳細情報に基づき開発した成果物を売買決済する画面の一例を表す図である。
【図１１】図１１は、本発明の1実施形態における、電子的詳細公開募集システムの募集した商品の応募状況を表す画面の一例を表す図である。
【図１２】図１２は、本発明の1実施形態における、電子的詳細公開募集システムの募集した商品の詳細情報に基づき開発した成果物に対して修正要望を行う画面の一例を表す図である。
【図１３】図１３は、本発明の1実施形態における、電子的詳細公開募集システムの募集した商品の詳細情報に基づき開発した成果物を売買契約が結ばれ対価を支払うための会員の基本情報の入力画面の一例を表す図である。
【図１４】図１４は、本発明の1実施形態における、電子的詳細公開募集システムの募集した商品の詳細情報に基づき開発した成果物を購入決済、または、交渉後購入決済、またはライセンス契約を行う入力画面の一例を表す図である。
【図１５】図１５は、本発明の1実施形態における、電子的詳細公開募集システムの募集した商品の詳細情報に基づき開発された商品の企画と知財を販売する時に商品一覧を表示する画面の一例を表す図である。
【図１６】図１６は、本発明の1実施形態における、電子的詳細公開募集システムの募集した商品の詳細情報に基づき開発された商品の企画と知財の詳細情報を購入者がダウンロードする時にダウンロードを実行する入力画面の一例を表す図である。
【図１７】図１７は、本発明の1実施形態における、電子的詳細公開募集システムの募集した商品の詳細情報に基づき開発された商品の企画と知財を購入者が購入する時に購入決済を実行する入力画面の一例を表す図である。
【図１８】図１８は、本発明の1実施形態における、電子的詳細公開募集システムの募集した商品の詳細情報に基づき開発された商品の企画と知財を購入者が購入する時に購入決済、または、修正要望を出し修正案を前記図１７の購入決済をする、またはライセンス契約を実行する入力画面の一例を表す図である。
【図１】
2011170825.tif 000003
【図２】
2011170825.tif 000004
【図３】
2011170825.tif 000005
【図４】
2011170825.tif 000006
【図５】
2011170825.tif 000007
【図６】
2011170825.tif 000008
【図７】
2011170825.tif 000009
【図８】
2011170825.tif 000010
【図９】
2011170825.tif 000011
【図１０】
2011170825.tif 000012
【図１１】
2011170825.tif 000013
【図１２】
2011170825.tif 000014
【図１３】
2011170825.tif 000015
【図１４】
2011170825.tif 000016
【図１５】
2011170825.tif 000017
【図１６】
2011170825.tif 000018
【図１７】
2011170825.tif 000019
【図１８】
2011170825.tif 000020